(57)【要約】      （修正有）【課題】掛けためがねのゆるみを防止且つゆるみを簡単に補正の出来る飾りを兼ねためがねゆるみ止め用具の提供。【解決手段】めがねのフレ−ム１に沿って移動自在でなるめがねのゆるみ止め具２であって、当該対でフレ−ム１に装着するめがねゆるみ止め具２の内面に当たる片面がパット３で、フレ−ム１や耳当て４の内側面よりやや盛り上がり状に構成したその片面の外側が装飾体５構成とし、此れらが双方のフレ−ム１や耳当て４の前後に移動固着可能で、めがねのワンポイントアクセサリ−とめがねのゆるみ時は此れらを耳当て４部に移動装着することでパット３が耳当て４のゆるみに挟み込まれる構成とする。【選択図】図１
0003113363.tif 000002
【実用新案登録請求の範囲】
【請求項１】
めがねのフレ−ム（１）に沿って移動自在でなるめがねゆるみ止め具（２）であって、当該対でフレ−ム（１）に装着するめがねゆるみ止め具（２）の内面に当たる片面がパット（３）で、フレ−ム（１）や耳当て（４）の内側面よりやや盛り上がり状に構成した片面の外側が装飾体（５）構成とし、此れらが双方のフレ−ム（１）や耳当て（４）の前後に移動固着可能で、めがねのワンポイントアクセサリ−とめがねのゆるみ時は此れらを耳当（４）部に移動固着する事でパット（３）が耳当て（４）のゆるみを防止可能にした事を特徴とするめがねゆるみ止め具。
【請求項２】
上記する装飾体（５）をボタン電池、発光ダイオ−ド（６ａ）、電源スイッチ（６ｂ）等をそれぞれ配線してケ−スに（６ｃ）に収納した発光体（６）に変更することで暗がりでの外部からの視認を可能にしたことを特徴とする請求項１記載のめがねゆるみ止め具。
【請求項３】
上記する装飾体（５）を香料を含浸自在にしたケ−ス（７ａ）にし、パット（３）と合体した香散体（７）に変更することで、素肌や衣服に付着せずに芳香剤を使用可能にしたことを特徴とする請求項１記載のめがねゆるみ止め具。
【考案の詳細な説明】
【技術分野】
【０００１】此の考案は日頃愛用するめがねが緩んだり、ずれ落ちたりするのを防ぐ為のめがねに装着するめがねゆるみ止め具に関する。
【背景技術】
【０００２】この種の従来の技術として図８で示すように２個のレンズ１０１はレンズ枠１０２で並列固定されそれらのレンズ１０１の両サイドに接合する蝶番１ｃに耳当て４付きでのフレ−ム１が結合し此れらのそれぞれのフレ−ム１が内側に折り畳み自在に構成するが、折り畳は蝶番１ｃの端に接続するフレ−ム１とが小ネジ１ｂを介しその小ネジ１ｂが軸としてフレ−ム１が回動する結合で折り畳まれ、開成時の所定のフレ−ム１に設けた耳当て４の双方の開き巾は小ネジ１ｂ部の蝶番１ｃの側面１ｄにフレ−ム１の側面１ｅが突き当って双方のフレ−厶１の開きが制限され耳当て４が顔にホ−ルドされる構成である。【０００３】此のように利用者のめがねが顔巾に整合するフレ−ム１の開き巾と其のフレ−ム１の端部に一体化する耳当て４の曲げ部等のサイズが、利用者の顔にフィットする様に仕立てられるがフレ−ム１の板状の金属材でのバネの弾発力にてめがねの顔えのホ−ルドを効果的にしている。【０００４】更にはめがねをホ−ルドするのに、利用者の鼻にフィットするシリコン樹脂材加工で対でレンズ枠１０２の中央部に位置して設けた２個の鼻パット１０３がめがねのずれ落ちを防ぐ構成である。
【考案の開示】
【考案が解決しようとする課題】
【０００５】
【０００６】しかしながら上記する従来技術でのめがねは利用者が自分の視力矯正での必需品としての用品の為、不測な身体の動きや外部のわずかな障害物の作用でずれたりずれ落ちたりすることで不意に目の前が視力落ちなどで危険にさらされるなどの課題がある。【０００７】そして又老眼鏡の様に頻繁にめがねのかけはずしのため蝶番に連係するフレ−ムの折り畳み部に磨耗での擦り減りガタがフレ−ムの開きをやや大きく狂わせる事で、めがねが自然に緩んでしまい、わずかな首の上下左右の動きでずれ落ちたりするなどの課題がある。【０００８】更に利用者の鼻で支えるめがねのシリコン加工での２個のパットが素肌の汚れの付着で劣化し、フィット性がなくなり鼻での支えが緩んでしまうことで、２個のパットを新品に交換しなければならない等の課題がある。【０００９】更に又緩んでしまっためがねのフレ−ムを故意に湾曲に折り曲げ等する補正の時にバネ材チタン金属のフレ−ムが思わず破損する等の課題がある。この様なめがねの緩みを簡単に手直し補正の出来る用具が古くから要望されていた。そして此れらのゆるみ止めにめがねに装着出来且つ此れらに新たな機能を付加することでめがねに新しいチャ−ムポイントが具現出来れればと多方面から切望されていた。
【考案が解決するための手段】
【００１０】此の考案はかかる課題を解決するために、請求項１での考案は図１、図２、で述べる様に、めがねのフレ−ム１に沿って移動自在でなるめがねゆるみ止め具２が、此のめがねゆるみ止め具２の内面に当たる片面がパット３で、フレ−ム１や耳当て４の内側面よりやや盛り上がり状に構成した片面の外側が装飾体５構成とし、此れらが双方のフレ−ム１や耳当て４の前後に移動固着可能で、めがねのワンポイントアクセサリ−とめがねのゆるみ時は此れらを耳当て４部に移動固着する事でパット３が耳当て４の遊びを防止出来る構成にする。
【００１１】此れらの考案は更に述べるに図３の要部分解拡大斜視図はクッション性の滑りにくい素材のパット３でフレ−ム１をペットキャラクタ−印刷仕上げの装飾体５で挟着する構成で、図４は其れらの組みつけた状態での要部斜視図での実施例を示すが、更に図５（ａ）（ｂ）は他のアクセサリ−での要部斜視図での装飾体５の構成である。
【００１２】次に請求項２での考案を図６で述べる様に上記する装飾体５をボタン電池、発光ダイオ−ド６ａと電源スイッチ６ｂ等をそれぞれ配線してケ−ス６ｃに収納した発光体６に変更しパット３との係合構成で暗がりでの外部からの視認が出来る構成とする。
【００１３】次に請求項３での考案を図７、で述べるに上記する装飾体５を香料を含侵自在にした香散体７に変更することで、素肌や衣服に付着せずに香料の放散が出来る構成である。
【考案の効果】
【００１４】本考案は上述の通り作用することで次の優れた効果を奏する。即ち、第１実施例でのめがゆるみ止め具では、故意にめがねをかけたまま過激な動きや作業ではめがねゆるみ止め具を耳当てに隣接し装着することでフレ−ムの耳元えの押し圧が強まる事になりめがねがずれたり、ずれ落ちるなどの危険を防ぐ事が出来、更に再度此れらの止め具のロックを外しめがねの蝶番近傍に移動装着することで、装飾体に具備するアクセサリ−がファッション性の高い自分好みのめがねに仕立てる事の出来る２つ機能を持つめがねゆるみ止め具を提供できる。
【００１５】そして第２実施例でのめがねゆるみ止め具は装飾体の変わりに発光体ユニットを装備する事で夜間暗がりでの路上等でピカピカ点滅する光が遠方より視認が出来ることで利用者の居場所を知らせてくれるスペ−スのいらないめがねゆるみ止め具を提供できる。
【００１６】そしてまた、第３実施例でのめがね止め具は装飾体の変わりに香散体ユニットを装備することで常時めがねの蝶番近傍に装着し、素肌や衣服等に香料を付着せずにめがねに一体化した利便性の高い香りの放散する、香料をメンテナンスの出来るめがねゆるみ止め具を提供できる。
【考案を実施するための最良の形態】
【００１７】以下図示の実施例に基づいて更に詳しく説明する。即ち図１は第１実施例での本考案でのめがねゆるみ止め具２をめがねのフレ−ム１に装着した全体斜視図で、一般的なめがねでのファッション用或いは近視、遠視、乱視、老眼等のめがねの金属性或い樹脂性からなる一対のレ−ム１のそれぞれに装着するが、日常的に顔に程よくフィットするノ−マルではフレ−ム１を折り畳み自在に軸支する蝶番１ｃ近くのフレ−ム１に固定してアクセサリ−的に使うが、何回となくフレ−ム１の折り畳みの繰り返しでのフレ−ム１のずれ落ちやスポ−ツや労作業などでの苛酷な動きでのめがねを顔に適当な固さでフィットさせるに、フ−レム１に装着するめがねゆるみ止め具２はフレ−ム１の耳当て４に近づけ移動して装着して双方のフレ−ム１に生じる遊びをパット３で止める事になる。【００１８】此のように図１での全体斜視図は、低反発ウレタン素材やプラスチック素材でのパット３と其れに係合する装飾体５との間に金属製或いはプラスチック素材でのフレ−ム１を挟みめがねの蝶番１ｃ近くにネジを使い固く係着してめがねのワンポイントでのアクセサリ−にした構成で、図２は此れらのめがねゆるみ止め具２がフレ−ム１の耳当て４に位置してフレ−ム１の遊びを止めた形態での全体斜視図を示したもので、パット３がややフレ−ム１の内側面より盛り上がり状での構成でフレ−ム１に適所接合することで押し圧を強める補正は此のフレ−ム１の内面よりパット３の盛り上がり厚みの段差分が付加される。【００１９】次に図３、図４は、めがねゆるみ止め具２の分解斜視図と此れらがフレ−ム１に装着した形態での要部斜視図で、本考案でのめがねゆるみ止め具２は３部品構成でのパット３は利用者の肌身に片面が接触してフレ−ム１の弾力の加勢でフィットする事で滑りにくい素材が選定されるが、耳当て４と同じ素材でのセルロイドプラスチック材にしても良く此れらの片面にはフレ−ム１の幅と厚みに適合する落とし込み３ｂを設け、其れらのパット３はは其れに係合する成形加工での装飾体５とが、フレ−ム１をパット３の落とし込みに挟み装飾体５を重ね合わせ、パット３に開口する２個の逃げ穴３ａに止めねじ３ｃを差し込み装飾体５に設けた２個の下穴５ａにねじ込んでフレ−ム１に適時めがねゆるみ止め具２を装着出来る構成であるが、装着手段について特定するものでなく、スナップ式での装着構造でも良い。（図示せず）【００２０】此のように、本考案での装飾体５の表面には記号や文字や挿絵等様々な印刷或いは図５での（ａ）（ｂ）の様に彫刻仕上げやダイヤ−カット仕上げのい一枚のパネルを貼り合わせるなどして、めがねの双方のフレ−ム１にアクセサリ−として装着出来る構成である。【００２１】次に図６は第２実施例を示す装飾体５を発光体６に変更しての使用例での要部斜視図で、夜間の暗がりでめがねゆるみ止め具２が光る事で身の安全或いは自分位置を視認可能にした構成で、小形のケース６ｃに発光ダイオ−ド６ａとボタン電池と電源スイッチ６ｂ）を配線して収納する構成で必要時に電源スイッチのＯＮ．ＯＦＦ操作を行う事で点灯する。【００２２】次に図７は第３実施例を示す装飾体５を香料をケ−ス体７ａ内で含侵自在にした香散体７に形態を変更しての使用例での要部斜視図で、素肌や衣服に付着せずに香料の発散が出来る構成にしたもので、常時めがねが香りの発散を共にし且つめがねの遊びを補正する用具を兼ねての構成で、香料のメンテナンスはケ−ス体７ａに取り外し自在での蓋などを設ける等で良く、其の蓋に小穴を開口する等で良く、且つケ−ス体７ａは芳香剤で変質しない材質が選定される事になり、此れらがパット３にめがねのフレ−ム１を挟み止めねじ３ｃを使って固く結合される。
【図面の簡単な説明】
【００２３】
【図１】  本考案の第１実施例でのアクセサリ−使用での全体斜視図である。
【図２】  本考案の第１実施例でのゆるみ止め使用での全体斜視図である。
【図３】  本考案の第１実施例での分解要部斜視図である。
【図４】  本考案の第１実施例での装着要部斜視図である。
【図５】  本考案の第１実施例での他のデザインでの部分斜視図である。
【図６】  本考案の第２実施例での装着要部斜視図である。
【図７】  本考案の第３実施例での装着要部斜視図である。
【図８】  従来技術での全体を示す斜視図である。
【符号の説明】
【００２４】１          フレ−ム
１ｂ        小ネジ
１ｃ        蝶番
１ｄ、１ｅ  側面
２          めがねゆるみ止め臭
３          パット
３ａ        逃げ穴
３ｂ        落とし込み
３ｃ        止めねじ
４          耳当て
５          装飾体
５ａ        下穴
６          発光体
６ａ        発光ダイオ−ド
６ｂ        電源スイッチ
６ｃ        ケ−ス
７          香散体
７ａ        ケ−ス体
１０１      レンズ
１０２      レンズ枠
１０３      鼻パット
【図１】
0003113363.tif 000003
【図２】
0003113363.tif 000004
【図３】
0003113363.tif 000005
【図４】
0003113363.tif 000006
【図５】
0003113363.tif 000007
【図６】
0003113363.tif 000008
【図７】
0003113363.tif 000009
【図８】
0003113363.tif 000010